(57)【要約】      （修正有）【課題】熱湯で温められた蒸気を含むセラミックの温熱の効果と指圧の効果とで、効率よく身体のコリや冷え性等の改善を図る指圧温熱療法器具を提供する。【解決手段】メッシュの布袋本体１と、この布袋本体１の中に所定間隔で形成されたボールの上下部が外方へ突出した状態で保持することができる多数個のボール保持部と、この多数個のボール保持部にそれぞれ保持された遠赤外線とマイナスイオンが発生する材質で形成された多数個のセラミックボール２からなることを特徴とし、本体を熱湯に浸けを温めたセラミックと布袋の蒸気を含む温熱で、身体を深部まで温める効果と、尚且つ突出したセラミックで身体の指圧の効果を得る事が出来る。【選択図】図１
0003152109.tif 000002
【実用新案登録請求の範囲】
【請求項１】
メッシュの布袋本体の中に、遠赤外線とマイナスイオンが発生する多数個のセラミックボールを所定間隔で保持し包み込み成形した本発明を熱湯に浸し温め熱源とする、温められたセラミックボールと布袋に含まれた蒸気の温熱で身体の深部まで温め、尚且つセラミックボールの突出した部位で身体に指圧の効果を特徴とする温熱療法器具。
【考案の詳細な説明】
【技術分野】
【０００１】  本発明は熱湯に浸けて温められた、メッシュの布袋に保持された遠赤外線放射特性とマイナスイオンを発生するセラミックボールと布袋に含まれた蒸気を含む温熱で身体を深部まで温めると同時に、突出したセラミックの部位で指圧の効果もある温熱療法器具に関するものである。
【背景技術】
【０００２】  従来、電気等で温める温熱器具が商品化されている。
【考案の開示】
【考案が解決しようとする課題】
【０００３】  しかしながら、これらは体の深部まで熱が伝わらないのと単に温めるだけの機能しか無いという欠点があった。
【考案が解決しようとする課題】
【０００４】  本発明は以上のような従来の欠点に鑑み、身体の深部まで温めるように遠赤外線とマイナスイオンを放射するセラミックを熱湯に浸し温め熱源とし、セラミックボールと布袋に含まれた蒸気の温熱で人体を温める事とし、尚且つセラミックボールの突出した部位で指圧の効果も得る事が出来、より効率良く身体のコリや冷え性等の改善を図ることを目的としている。
【考案の効果】
【０００５】  本発明は蒸気を含む温熱と遠赤外線の効果により、身体の深部に熱が伝わり、尚且つセラミックボールに体が当たると指圧の効果も生じ健康増進に役立つ。
【課題を解決するための手段】
【０００６】  上記目的を達成するために、メッシュの布袋本体の中に、遠赤外線とマイナスイオンが発生する多数個のセラミックボールを所定間隔で保持し包み込み、その本発明を熱湯に浸け温め熱せられたセラミックボールと布に含まれた、お湯の蒸気を含む温熱で、身体の深部まで温める事が出来、尚且つセラミックボールの突出した部位で人体に指圧の効果で効率よく身体のコリや冷え性等の改善を図る事とする。
【実施例】
【０００７】  以下、添付図面に従って一実施例を説明する。１はメッシュの布袋等適宜素材で形成された温熱療法器具本体、２は遠赤外線とマイナスイオンが発生する材質で形成された多数個のセラミックボールで、このセラミックボール２をメッシュ布袋１にて包み込み上下方へ突出するように保持する、３の紐を両手で持ち、本発明を熱湯に浸し温める。【０００８】  ２の多数個のセラミックボール上下方へ突出するので、身体の患部に当たると指圧する効果がある。【０００９】  ３の紐は、本発明を熱湯に浸す時に、両手で持つように出来ている。
【図面の簡単な説明】
【００１０】
【図１】本発明のセラミック温熱療法器具の一実施例を示す正面図である。
【符号の説明】
【００１１】１  温熱療法器具のメッシュ布袋本体
２  多数個のセラミックボール
３  紐
【図１】
0003152109.tif 000003
【手続補正書】
【提出日】平成21年4月1日(2009.4.1)
【手続補正１】
【補正対象書類名】実用新案登録請求の範囲
【補正対象項目名】全文
【補正方法】変更
【補正の内容】
【実用新案登録請求の範囲】
【請求項１】
メッシュ生地製の布袋本体と、この布袋本体の中に所定間隔で形成されたボールの上下部が外方へ突出した状態で保持することができる多数個のボール保持部と、この多数個のボール保持部にそれぞれ保持された遠赤外線とマイナスイオンが発生する材質で形成された多数個のセラミックボールからなることを特徴とする指圧温熱療法器具。
【請求項２】
メッシュ生地の接続することができる形状に形成された布袋本体と、この布袋本体に形成された複数個のシート本体を接続するための系合部および系合片と、前記布袋本体の上下面に所定間隔で外方へ突出した状態で保持することができる多数個のボール保持部と、この多数個のボール保持部にそれぞれ保持された遠赤外線とマイナスイオンが発生する材質で形成された多数個のセラミックボールからなることを特徴とする指圧温熱療法器具。
【手続補正２】
【補正対象書類名】明細書
【補正対象項目名】全文
【補正方法】変更
【補正の内容】
【考案の詳細な説明】
【技術分野】
【０００１】  本考案は指圧の効果と遠赤外線とマイナスイオンの効果が得られる指圧温熱療法器具に関する。
【背景技術】
【０００２】  従来、健康になるためや具合の悪いところを治すための健康器具として指圧、縦振動を与えるもの、温熱で暖める等が考えられ、商品化されている。【０００３】  しかしながら、単に温めるだけや指圧効果を得るものであるので、効率よく身体のコリや冷え性の改善を図ることができないという欠点があった。
【考案の開示】
【考案が解決しようとする課題】
【考案が解決しようとする課題】
【０００４】  本考案は以上のような従来の欠点に鑑み、指圧の効果と遠赤外線とマイナスイオン効果で、効率よく身体のコリや冷え性等の改善を図ることが出来るとともに、電子レンジや熱湯に浸し温めるだけで手軽に熱源として使用できる、指圧温熱療法器具を提供することを目的としている。
【考案の効果】
【０００５】  本考案は電子レンジや熱湯に浸し温めるだけで手軽に熱源として蒸気を含む温熱と遠赤外線の効果により、身体の深部に熱が伝わる温熱効果とセラミックボールの指圧効果で身体のコリと冷え性改善に役立つ。
【課題を解決するための手段】
【０００６】  上記目的を達成するために、本考案はメッシュの布袋本体の中に、遠赤外線とマイナスイオンが発生する多数個のセラミックボールを所定間隔で保持し包み込み、その本発明を電子レンジや熱湯に浸け温め熱せられたセラミックボールと布に含まれた、お湯の蒸気を含む温熱で、身体の深部まで温める事が出来、尚且つセラミックボールの突出した部位で人体に指圧の効果で効率よく身体のコリや冷え性等の改善を図る事とする。
【実施例】
【０００７】  以下、添付図面に従って一実施例を説明する。１はメッシュの布袋等適宜素材で形成された温熱療法器具本体、２は遠赤外線とマイナスイオンが発生する材質で形成された多数個のセラミックボールで、このセラミックボール２をメッシュ布袋１にて包み込み上下方へ突出するように保持する、３の紐を両手で持ち、本発明を熱湯に浸し温める。【０００８】  ２の多数個のセラミックボール上下方へ突出するので、身体の患部に当たると指圧効果がある。【０００９】  ３の紐は、本考案を熱湯に浸す時に、両手で持つためものである。
【図面の簡単な説明】
【００１０】
【図１】本考案の温熱療法器具の一実施例を示す正面図である。
【００１１】
【図２】側面図である。
【符号の説明】
【００１２】  １  指圧温熱療法器具のメッシュ布袋本体
２  多数個のセラミックボール
３  紐
【手続補正３】
【補正対象書類名】図面
【補正対象項目名】全図
【補正方法】変更
【補正の内容】
【図１】
0003152109.tif 000004
【図２】
0003152109.tif 000005